【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
複数の画像を表示可能な情報処理装置であって、
複数の画像を取得する取得手段と、
前記取得手段により取得された複数の画像のうち、一つの画像を主画面領域に、他の画像を副画面領域にそれぞれ表示する制御を行う表示制御手段と、
前記主画面領域を表示領域へ１画面として表示することを示す第一の操作を検知する検知手段と、
前記副画面領域に表示された画像を前記主画面領域へ表示することを示す操作を検知する表示画像切替検知手段と、
前記表示画像切替検知手段の検知に応じて、前記主画面領域へ表示された画像と前記副画面領域へ表示された画像とを切り替える表示画像切替手段と、
を備え、
前記表示制御手段は、前記検知手段により第一の操作を検知することに応じて、前記副画面領域を非表示とし、前記主画面領域を当該非表示とされる領域を含む前記表示領域に１画面として表示する制御を行うことを特徴とする情報処理装置。
【請求項２】
前記第一の操作とは、前記副画面領域が表示される方向へのスライド操作であることを特徴とする請求項１に記載の情報処理装置。
【請求項３】
前記表示制御手段は、前記副画面領域を非表示とし、前記主画面領域を当該非表示とされる領域を含む表示領域に１画面として表示する制御を行う場合、当該主画面領域を全画面に表示する制御を行うことを特徴とする請求項１または２に記載の情報処理装置。
【請求項４】
前記表示制御手段は、前記主画面領域を全画面に表示する場合、当該主画面領域に表示される画像のアスペクト比を変更して全画面に表示する制御を行うことを特徴とする請求項３に記載の情報処理装置。
【請求項５】
前記検知手段は、前記主画面領域と前記副画面領域とを表示領域に表示することを示す第二の操作を検知するものであり、
前記表示制御手段は、前記主画面領域が１画面で表示された状態で、前記検知手段により第二の操作を検知することに応じて、前記主画面領域と前記副画面領域とを前記表示領域に表示する制御を行うことを特徴とする請求項１乃至４のいずれか１項に記載の情報処理装置。
【請求項６】
前記検知手段は、前記主画面領域と前記副画面領域とを表示領域に表示することを示す前記第一の操作とは逆方向へのスライド操作である第二の操作を検知するものであり、
前記表示制御手段は、前記主画面領域が１画面で表示された状態で、前記検知手段により第二の操作を検知することに応じて、前記主画面領域と前記副画面領域とを前記表示領域に表示する制御を行うことを特徴とする請求項２乃至４のいずれか１項に記載の情報処理装置。
【請求項７】
前記表示制御手段は、操作メニューを表示するためのメニュー画面領域を更に表示するものであり、前記検知手段により第一の操作を検知することに応じて、前記副画面領域と共に当該メニュー画面領域が非表示とされることを特徴とする請求項１乃至６のいずれか１項に記載の情報処理装置。
【請求項８】
前記取得手段は、前記画像を表示させる領域が定義された画面情報を取得し、
前記表示制御手段は、前記取得手段により取得された画像と画面情報とを用いて表示領域に表示することを特徴とする請求項１乃至７のいずれか１項に記載の情報処理装置。
【請求項９】
前記複数の画像は、複数の監視カメラからそれぞれ配信される画像であることを特徴とする請求項１乃至８のいずれか１項に記載の情報処理装置。
【請求項１０】
複数の画像を表示可能な情報処理装置における制御方法であって、
複数の画像を取得する取得ステップと、
前記取得ステップにより取得された複数の画像のうち、一つの画像を主画面領域に、他の画像を副画面領域にそれぞれ表示する制御を行う表示制御ステップと、
前記主画面領域を表示領域へ１画面として表示することを示す第一の操作を検知する検知ステップと、
前記副画面領域に表示された画像を前記主画面領域へ表示することを示す操作を検知する表示画像切替検知ステップと、
前記表示画像切替検知ステップの検知に応じて、前記主画面領域へ表示された画像と前記副画面領域へ表示された画像とを切り替える表示画像切替ステップと、
を含み、
前記表示制御ステップは、前記検知ステップにより第一の操作を検知することに応じて、前記副画面領域を非表示とし、前記主画面領域を当該非表示とされる領域を含む前記表示領域に１画面として表示する制御を行うことを特徴とする制御方法。
【請求項１１】
複数の画像を表示可能な情報処理装置において実行可能なプログラムであって、
複数の画像を取得する取得手段、
前記取得手段により取得された複数の画像のうち、一つの画像を主画面領域に、他の画像を副画面領域にそれぞれ表示する制御を行う表示制御手段、
前記主画面領域を表示領域へ１画面として表示することを示す第一の操作を検知する検知手段、
前記副画面領域に表示された画像を前記主画面領域へ表示することを示す操作を検知する表示画像切替検知手段、
前記表示画像切替検知手段の検知に応じて、前記主画面領域へ表示された画像と前記副画面領域へ表示された画像とを切り替える表示画像切替手段、
として前記情報処理装置を機能させ、
前記表示制御手段は、前記検知手段により第一の操作を検知することに応じて、前記副画面領域を非表示とし、前記主画面領域を当該非表示とされる領域を含む表示領域に１画面として表示する制御を行うことを特徴とするプログラム。
【請求項１２】
複数の画像を表示可能な情報処理装置と、アプリケーションサーバとが通信可能な情報処理システムであって、
前記情報処理装置は、
複数の画像を取得する取得手段と、
前記取得手段により取得された複数の画像のうち、一つの画像を主画面領域に、他の画像を副画面領域にそれぞれ表示する制御を行う表示制御手段と、
前記主画面領域を表示領域へ１画面として表示することを示す第一の操作を検知する検知手段と、
前記副画面領域に表示された画像を前記主画面領域へ表示することを示す操作を検知する表示画像切替検知手段と、
前記表示画像切替検知手段の検知に応じて、前記主画面領域へ表示された画像と前記副画面領域へ表示された画像とを切り替える表示画像切替手段と
前記検知手段により第一の操作を検知した場合、前記アプリケーションサーバにイベントとして通知する通知手段とを備え、
前記アプリケーションサーバは、
前記通知手段によりイベントの通知を受けることに応じて、前記情報処理装置において、前記副画面領域を非表示とし、前記主画面領域を当該非表示とされる領域を含む表示領域に１画面として表示可能な画面情報を送信する送信手段とを備え、
前記取得手段は、前記送信手段により送信された画面情報を取得し、
前記表示制御手段は、取得手段により取得された画面情報を用いて、前記副画面領域を非表示とし、前記主画面領域を当該非表示とされる領域を含む前記表示領域に１画面として表示する制御を行うことを特徴とする情報処理システム。
【請求項１３】
複数の画像を表示可能な情報処理装置であって、
一または複数の画像を取得する取得手段と、
前記取得手段により取得された一つの画像を主画面領域に１画面で表示する制御を行う表示制御手段と、
前記主画面領域と副画面領域とを表示領域に表示することを示す第一の操作を検知する検知手段と、
前記副画面領域に表示された画像を前記主画面領域へ表示することを示す操作を検知する表示画像切替検知手段と、
前記表示画像切替検知手段の検知に応じて、前記主画面領域へ表示された画像と前記副画面領域へ表示された画像とを切り替える表示画像切替手段と
を備え、
前記表示制御手段は、前記検知手段により第一の操作を検知することに応じて、前記取得手段により取得された複数の画像のうち、一つの画像を主画面領域に、他の画像を副画面領域にそれぞれ表示する制御を行うことを特徴とする情報処理装置。
【請求項１４】
複数の画像を表示可能な情報処理装置における制御方法であって、
一または複数の画像を取得する取得ステップと、
前記取得ステップにより取得された一つの画像を主画面領域に１画面で表示する制御を行う表示制御ステップと、
前記主画面領域と副画面領域とを表示領域に表示することを示す第一の操作を検知する検知ステップと、
前記副画面領域に表示された画像を前記主画面領域へ表示することを示す操作を検知する表示画像切替検知ステップと、
前記表示画像切替検知ステップの検知に応じて、前記主画面領域へ表示された画像と前記副画面領域へ表示された画像とを切り替える表示画像切替ステップと、
を含み、
前記表示制御ステップは、前記検知ステップにより第一の操作を検知することに応じて、前記取得ステップにより取得された複数の画像のうち、一つの画像を主画面領域に、他の画像を副画面領域にそれぞれ表示する制御を行うことを特徴とする制御方法。
【請求項１５】
複数の画像を表示可能な情報処理装置において実行可能なプログラムであって、
一または複数の画像を取得する取得手段、
前記取得手段により取得された一つの画像を主画面領域に１画面で表示する制御を行う表示制御手段、
前記主画面領域と副画面領域とを表示領域に表示することを示す第一の操作を検知する検知手段、
前記副画面領域に表示された画像を前記主画面領域へ表示することを示す操作を検知する表示画像切替検知手段、
前記表示画像切替検知手段の検知に応じて、前記主画面領域へ表示された画像と前記副画面領域へ表示された画像とを切り替える表示画像切替手段、
として前記情報処理装置を機能させ、
前記表示制御手段は、前記検知手段により第一の操作を検知することに応じて、前記取得手段により取得された複数の画像のうち、一つの画像を主画面領域に、他の画像を副画面領域にそれぞれ表示する制御を行うことを特徴とするプログラム。
【請求項１６】
複数の画像を表示可能な情報処理装置と、アプリケーションサーバとが通信可能な情報処理システムであって、
前記情報処理装置は、
一または複数の画像を取得する取得手段と、
前記取得手段により取得された一つの画像を主画面領域に１画面で表示する制御を行う表示制御手段と、
前記主画面領域と副画面領域とを表示領域に表示することを示す第一の操作を検知する検知手段と、
前記副画面領域に表示された画像を前記主画面領域へ表示することを示す操作を検知する表示画像切替検知手段と、
前記表示画像切替検知手段の検知に応じて、前記主画面領域へ表示された画像と前記副画面領域へ表示された画像とを切り替える表示画像切替手段と、
前記検知手段により第一の操作を検知した場合、前記アプリケーションサーバにイベントとして通知する通知手段とを備え、
前記アプリケーションサーバは、
前記通知手段によりイベントの通知を受けることに応じて、前記情報処理装置において、一つの画像を主画面領域に、他の画像を副画面領域にそれぞれ表示可能な画面情報を送信する送信手段を備え、
前記取得手段は、前記送信手段により送信された画面情報を取得し、
前記表示制御手段は、前記取得手段により取得された複数の画像と画面情報とを用いて、一つの画像を主画面領域に、他の画像を副画面領域にそれぞれ表示する制御を行うことを特徴とする情報処理システム。
【手続補正２】
【補正対象書類名】明細書
【補正対象項目名】００１３
【補正方法】変更
【補正の内容】
【００１３】
本発明は、複数の画像を表示可能な情報処理装置であって、複数の画像を取得する取得手段と、前記取得手段により取得された複数の画像のうち、一つの画像を主画面領域に、他の画像を副画面領域にそれぞれ表示する制御を行う表示制御手段と、前記主画面領域を表示領域へ１画面として表示することを示す第一の操作を検知する検知手段と、前記副画面領域に表示された画像を前記主画面領域へ表示することを示す操作を検知する表示画像切替検知手段と、前記表示画像切替検知手段の検知に応じて、前記主画面領域へ表示された画像と前記副画面領域へ表示された画像とを切り替える表示画像切替手段と、を備え、前記表示制御手段は、前記検知手段により第一の操作を検知することに応じて、前記副画面領域を非表示とし、前記主画面領域を当該非表示とされる領域を含む前記表示領域に１画面として表示する制御を行うことを特徴とする。